(57)【要約】【課題】省電力モードからの復帰の際に消費電力を低減できる画像処理装置を提供する。【解決手段】メイン制御部およびサブ制御部からの信号に基づいて、電力の供給および電力の遮断を制御する電力供給スイッチ部と、少なくともメイン制御部、画像処理部、およびメインネットワーク制御部が接続され、省電力モードでは停止されるデータバスとを備え、サブネットワーク制御部は所定の信号を受信した場合にサブ制御部に解除要因としての起動要因検出信号を送り、起動要因検出信号を受信したサブ制御部はメイン制御部を起動し、当該起動が行われた場合にメイン制御部は、メインネットワーク制御部と共にデータバスに接続されるように、かつ、画像処理部がデータバスに接続されないように、データバスを初期化し、メインネットワーク制御部の信号処理により画像処理が必要となった場合に、画像処理部がデータバスにさらに接続されるようにデータバスを再初期化する。【選択図】図３
2013017054.tif 000002
【特許請求の範囲】
【請求項１】
省電力モードにおいて電力の供給が遮断されるメインネットワーク制御部と、前記省電力モードにおいて電力が供給され、ネットワークと接続されるサブネットワーク制御部とを有するネットワーク制御部と、
前記ネットワーク制御部が前記ネットワークを介して受信したデータについて画像処理する画像処理部と、
前記ネットワーク制御部および前記画像処理部を制御し、所定の条件が満たされた場合に省電力モードに移行させるメイン制御部と、
前記省電力モードの解除要因を検出するサブ制御部と、
前記メイン制御部および前記サブ制御部からの信号に基づいて、電力の供給および電力の遮断を制御する電力供給スイッチ部と、
少なくとも前記メイン制御部、前記画像処理部、および前記メインネットワーク制御部が接続され、前記省電力モードでは停止されるデータバスと
を備え、
前記サブネットワーク制御部は、所定の信号を受信した場合に、前記サブ制御部に前記解除要因としての起動要因検出信号を送り、
前記サブ制御部は、前記起動要因検出信号を受信した場合に、前記メイン制御部の起動を行い、
前記メイン制御部は、当該起動が行われた場合に、前記メインネットワーク制御部と共に前記データバスに接続されるように、かつ、前記画像処理部が前記データバスに接続されないように、前記データバスを初期化し、
前記メイン制御部は、前記メインネットワーク制御部の信号処理により画像処理が必要となった場合に、前記メイン制御部、前記メインネットワーク制御部および前記画像処理部が前記データバスに接続されるようにデータバスを再初期化する
画像処理装置。
【請求項２】
前記メイン制御部は、前記データバスの初期化のときに、前記画像処理部をリセット状態に制御する
請求項１に記載の画像処理装置。
【請求項３】
前記メイン制御部は、前記データバスの初期化後であって前記画像処理部が必要になった場合には、リセット状態を解除して前記データバスの再初期化を行い、前記省電力モードに移行するための条件が満たされたと判定した場合には、前記画像処理部のリセット状態を維持したままとする
請求項２に記載の画像処理装置。
【請求項４】
省電力モードにおいて電力の供給が遮断されるメインネットワーク制御部と、前記省電力モードにおいて電力が供給され、ネットワークと接続されるサブネットワーク制御部とを有するネットワーク制御部と、前記ネットワーク制御部が前記ネットワークを介して受信したデータについて画像処理する画像処理部と、前記ネットワーク制御部および前記画像処理部を制御し、所定の条件が満たされた場合に省電力モードに移行させるメイン制御部と、前記省電力モードの解除要因を検出するサブ制御部と、前記メイン制御部および前記サブ制御部からの信号に基づいて、電力の供給および電力の遮断を制御する電力供給スイッチ部と、少なくとも前記メイン制御部、前記画像処理部、および前記メインネットワーク制御部が接続され、前記省電力モードでは停止されるデータバスとを備える画像処理装置において行われる画像処理方法であって、
前記サブネットワーク制御部が、所定の信号を受信した場合に、前記サブ制御部に前記解除要因としての起動要因検出信号を送る起動要因送信ステップと、
前記サブ制御部が、前記起動要因検出信号を受信した場合に、前記メイン制御部の起動を行うメイン制御部起動ステップと、
前記メイン制御部が、当該起動が行われた場合に、前記メインネットワーク制御部と共に前記データバスに接続されるように、かつ、前記画像処理部が前記データバスに接続されないように、前記データバスを初期化するデータバス初期化ステップと、
前記メイン制御部が、前記メインネットワーク制御部の信号処理により画像処理が必要となった場合に、前記メイン制御部、前記メインネットワーク制御部および前記画像処理部が前記データバスに接続されるようにデータバスを再初期化するデータバス再初期化ステップと
を含む画像処理方法。
【請求項５】
請求項４に記載の画像処理方法に含まれるステップをコンピュータに実行させるためのプログラム。
【発明の詳細な説明】
【技術分野】
【０００１】
本発明は、省電力モードを有する画像処理装置、画像処理方法およびプログラムに関するものである。
【背景技術】
【０００２】
従来、ファクシミリ装置、複合機などの画像処理装置では、消費電力を節約するため、一定の条件が満たされたとき（例えば、何らの動作すること無く所定時間が経過したとき、ユーザが所定の操作をしたときなど）により、不必要な部分への電力の供給を停止する省電力モードが設けられる（特許文献１参照）。
【先行技術文献】
【特許文献】
【０００３】
【特許文献１】特開２００４−２６６６６１号公報
【発明の概要】
【発明が解決しようとする課題】
【０００４】
例えば特許文献１に開示される画像処理装置には、内部に例えばＰＣＩバス（Ｐｅｒｉｐｈｅｒａｌ  Ｃｏｍｐｏｎｅｎｔｓ  Ｉｎｔｅｒｃｏｎｎｅｃｔ  ｂｕｓ）などのデータバス、が設けられており、ネットワーク通信部、ＰＤＬ（Ｐａｇｅ  Ｄｅｓｃｒｉｐｔｉｏｎ  Ｌａｎｇｕａｇｅ）のラスタライズを行う画像処理部などがデータバスに接続される。データバスは、省電力モードでは停止しているが、ネットワーク通信部が所定のパケットを受信すると、省電力モードが解除される。省電力モードが解除されてデータバスの初期化処理（コンフィギュレーション）が行われると、データバスに接続される全てのデバイスが動作する状態となる。しかし、受信したパケットの全てが、画像処理部の画像処理を要求するものではないので、画像処理部をいつでも動作可能とするのは、電力を無駄に消費することとなってしまう。
【０００５】
そこで、本発明は、このような状況に鑑みてなされたものであり、省電力モードから復帰する場合に、より消費電力を低減することができる画像処理装置を提供することを目的とする。
【課題を解決するための手段】
【０００６】
上記目的を達成するために、本発明の一形態に係る画像処理装置は、省電力モードにおいて電力の供給が遮断されるメインネットワーク制御部と、前記省電力モードにおいて電力が供給され、ネットワークと接続されるサブネットワーク制御部とを有するネットワーク制御部と、前記ネットワーク制御部が前記ネットワークを介して受信したデータについて画像処理する画像処理部と、前記ネットワーク制御部および前記画像処理部を制御し、所定の条件が満たされた場合に省電力モードに移行させるメイン制御部と、前記省電力モードの解除要因を検出するサブ制御部と、前記メイン制御部および前記サブ制御部からの信号に基づいて、電力の供給および電力の遮断を制御する電力供給スイッチ部と、少なくとも前記メイン制御部、前記画像処理部、および前記メインネットワーク制御部が接続され、前記省電力モードでは停止されるデータバスとを備え、前記サブネットワーク制御部は、所定の信号を受信した場合に、前記サブ制御部に前記解除要因としての起動要因検出信号を送り、前記サブ制御部は、前記起動要因検出信号を受信した場合に、前記メイン制御部の起動を行い、前記メイン制御部は、当該起動が行われた場合に、前記メインネットワーク制御部と共に前記データバスに接続されるように、かつ、前記画像処理部が前記データバスに接続されないように、前記データバスを初期化し、前記メイン制御部は、前記メインネットワーク制御部の信号処理により画像処理が必要となった場合に、前記メイン制御部、前記メインネットワーク制御部および前記画像処理部が前記データバスに接続されるようにデータバスを再初期化する。
【０００７】
これによれば、サブネットワーク制御部が所定の信号（ＩＰパケット）を受信した状態では、画像処理が必要なＩＰパケットであるか否かはわからないため、画像処理部をデータバスに接続しないように、データバスの初期化を行う。つまり、画像処理部が動作しないようにして、データバスの初期化を行ってデータバスに接続される画像処理部以外のネットワーク制御部とメイン制御部との接続を行う。その後、画像処理部による画像処理が必要であることを、メインネットワーク制御部が信号処理を行うことにより判定した場合に、メイン制御部は画像処理部がデータバスに接続されるようにデータバスの再初期化を行う。
【０００８】
このように、ネットワーク制御部がネットワークを介してＩＰパケットなどのデータを受信しても、画像処理部をデータバスに接続せずに、画像処理部が必要なデータである場合のみに画像処理部をデータバスに接続する。このため、画像処理部による処理が必要のないデータを受信しても、画像処理部に電力を供給しない状態とすることができる。これにより、画像処理装置が、省電力モードから復帰する場合に、より消費電力を低減することができる。
【０００９】
また、前記メイン制御部は、前記データバスの初期化のときに、前記画像処理部をリセット状態に制御することが好ましい。
【００１０】
また、前記メイン制御部は、前記データバスの初期化後であって前記画像処理部が必要になった場合には、リセット状態を解除して前記データバスの再初期化を行い、前記省電力モードに移行するための条件が満たされたと判定した場合には、前記画像処理部のリセット状態を維持したままとすることが好ましい。
【００１１】
また、本発明は、このような画像処理装置として実現できるだけでなく、画像処理装置が備える特徴的な処理部のそれぞれの動作をステップとして方法として実現することもでき、また、本発明は、各処理部の処理を行う集積回路として実現することもできる。さらに、本発明は、コンピュータに上記各ステップを実行させるためのプログラムとして実現することもできる。そのようなプログラムは、ＣＤ−ＲＯＭ等の記録媒体またはインターネット等の伝送媒体を介して配信することもできる。
【発明の効果】
【００１２】
本発明に係る画像処理装置によれば、省電力モードから復帰する場合に、より消費電力を低減することができる
【図面の簡単な説明】
【００１３】
【図１】本発明の一実施形態に係る画像処理装置を含む情報処理システムの構成の一例を示す図である。
【図２】本実施の形態に係るネットワーク複合機のハードウェア構成を示すブロック図である。
【図３】本実施の形態に係る画像処理装置の機能構成を示すブロック図である。
【図４】本実施の形態に係る画像処理装置の復帰処理に係る処理手順を示すフローチャートである。
【発明を実施するための形態】
【００１４】
以下、本発明の実施の形態について、図面を用いて詳細に説明する。
【００１５】
まず、図１を用いて、本発明の一実施形態に係る画像処理装置の構成の概要について説明する。
【００１６】
図１は、本発明の一実施形態に係る画像処理装置１００を含む情報システム２００の構成の一例を示す図である。
【００１７】
同図に示すように、このワークフローシステムは、ネットワーク複合機１および２、情報端末３および４、ＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話交換回線網）５、並びにＬＡＮ（Ｌｏｃａｌ  Ａｒｅａ  Ｎｅｔｗｏｒｋ）６から構成される。
【００１８】
情報端末３、４は、本実施の形態における情報処理装置として機能するコンピュータである。情報端末３、４は、本実施の形態では、ネットワーク複合機１、２を利用するユーザが使用するパーソナルコンピュータである。
【００１９】
ネットワーク複合機１は、スキャナで読み取った書類を、例えば、ＰＳＴＮ５を介してネットワーク複合機２へファクシミリ送信すること、ＬＡＮ６を介して情報端末３および４へ送信すること、内蔵されるプリンタでプリントアウトすること等ができる。
【００２０】
図２は、本実施の形態に係るネットワーク複合機１のハードウェア構成を示すブロック図である。
【００２１】
同図に示すように、ネットワーク複合機１は、メインＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）１１、ＲＯＭ（Ｒｅａｄ  Ｏｎｌｙ  Ｍｅｍｏｒｙ）１２、システムＬＳＩ（Ｌａｒｇｅ  Ｓｃａｌｅ  Ｉｎｔｅｇｒａｔｉｏｎ）１３、モデム１４、ＰＣＩバス１５、ネットワークＣＰＵ１６、サブネットワークＣＰＵ１７、ＰＨＹ（物理層）１８、ＰＤＬ用ＣＰＵ１９、電源制御部２０、サブＣＰＵ２１、スキャナ部２２、プリンタ部２３、操作パネル２４、およびＮＣＵ（Ｎｅｔｗｏｒｋ  Ｃｏｎｔｒｏｌ  Ｕｎｉｔ）２５を備えている。
【００２２】
メインＣＰＵ１０は、ＲＯＭ１２に格納された制御プログラムを実行することにより、ネットワーク複合機１の全体を制御する。
【００２３】
ＲＡＭ１１は、メインＣＰＵ１０が制御プログラムを実行する際に用いられるワークデータ、およびスキャナ部２２から得られた画像データ等を保持する読み書き可能なメモリである。
【００２４】
ＲＯＭ１２は、メインＣＰＵ１０が実行する制御プログラムを保持する読み出し専用メモリである。
【００２５】
システムＬＳＩ１３は、メインＣＰＵ１０、ＲＡＭ１１、およびＲＯＭ１２と、ＰＣＩバス１５に接続されるネットワークＣＰＵ１６およびＰＤＬ用ＣＰＵ１９、スキャナ部２２、およびプリンタ部２３との間のデータの送受信を管理する。
【００２６】
モデム１４は、ＲＡＭ１１に保持された画像データ等をファクシミリ信号に変調して送信し、また外部から受信されたファクシミリ信号をラインデータに復調する。モデム１４は、例えばＧ３規格に準拠したファックスモデムである。
【００２７】
ＰＣＩバス１５は、ネットワークＣＰＵ１６と、ＰＤＬ用ＣＰＵ１９とを接続するデータバスである。
【００２８】
ネットワークＣＰＵ１６は、ＬＡＮＩ／Ｆ等のネットワークＩ／Ｆと接続され、主にネットワークからのパケット処理を行うＣＰＵである。
【００２９】
サブネットワークＣＰＵ１７は、省電力状態においてネットワーク上のパケット処理を行う、ネットワークＣＰＵよりも消費電力の少ないＣＰＵである。
【００３０】
ＰＨＹ１８は、本実施形態では、Ｅｔｈｅｒｎｅｔ（登録商標）規格のＬＡＮＩ／Ｆであって、ネットワーク複合機１とＬＡＮ６とを接続する通信アダプタである。
【００３１】
ＰＤＬ用ＣＰＵ１９は、ＬＡＮＩ／Ｆから受信したプリントジョブにおいてページ記述言語に対する解析および画像形成を行う。具体的には、ＰＤＬ用ＣＰＵ１９は、ベクタ形式のデータをラスタライズしてビットマップイメージを作成する。
【００３２】
電源制御部２０は、サブＣＰＵ２１の制御下で、各機器への電源供給のＯＮ／ＯＦＦを行う。
【００３３】
サブＣＰＵ２１は、電源制御部２０に指令を出して、機器全体の電源制御を行う。この電源制御についての詳細は、後述する。
【００３４】
スキャナ部２２は、画像読み取り装置であり、ＣＰＵ１０の制御下で、ＣＣＤを用いて原稿を光学的に読み取ることによって画像データを生成する。
【００３５】
プリンタ部２３は、印刷装置であり、ＣＰＵ１０の制御下で、例えばＲＡＭ１１に保持された画像データによって表される画像イメージを印刷出力する。
【００３６】
操作パネル２４は、ユーザからの操作を受け付けるタッチパネルである。また、操作パネル２４では、ユーザへの操作ガイド、またはネットワーク複合機１の動作状態を表示する表示装置が含まれており、例えばＬＣＤ（Ｌｉｑｕｉｄ  Ｃｒｙｓｔａｌ  Ｄｉｓｐｌａｙ：液晶表示装置）である。
【００３７】
ＮＣＵ２５は、モデム１４とＰＳＴＮ５との接続を制御する網制御装置である。
【００３８】
図３は、本実施の形態に係る画像処理装置１００の省電力モードからの復帰処理（以下、「復帰処理」という）に係る機能構成を示すブロック図である。つまり、図３は、図２に示されるハードウェア構成によって発揮されるネットワーク複合機１の機能のうち、主に本実施の形態の電源制御の省エネ処理に関わる機能の構成を示すブロック図である。
【００３９】
画像処理装置１００は、機能的には、メイン制御部３０と、データバス３１と、ネットワーク制御部３２と、画像処理部３５と、電源供給スイッチ部３６と、サブ制御部３７と、操作部３８と、ファクシミリ通信部３９とから構成される。
【００４０】
メイン制御部３０は、図２におけるメインＣＰＵ１０、ＲＡＭ１１、ＲＯＭ１２、システムＬＳＩ１３等によって実現される処理部である。メイン制御部３０は、ネットワーク制御部３２および画像処理部３５を制御し、所定の条件が満たされた場合に省電力モードに移行させる。なお、ここに言う「所定の条件が満たされた場合」とは、本実施形態では、ユーザが操作パネル２４を操作せず、かつ、所定時間ＦＡＸ等のデータを受信しない状態が所定時間（例えば１時間）続いた場合、または、ユーザにより省電力モードに設定された場合である。メイン制御部３０はまた、メイン制御部３０の起動が行われた場合に、後述するメインネットワーク制御部３３と共にデータバス３１に接続されるように、かつ、画像処理部３５がデータバス３１に接続されないように、データバス３１を初期化する。つまり、メイン制御部３０は、このデータバス３１を初期化するときに、画像処理部３５がデータバス３１に接続されないように、画像処理部３５をリセット状態に制御する。このように、メイン制御部３０がデータバス３１を初期化しても画像処理部３５をリセット状態に維持したままとするため、画像処理部３５は、データバス３１に接続されず、電源供給されないままの状態となる。そして、メイン制御部３０は、メインネットワーク制御部３３の信号処理により画像処理が必要となった場合に、メイン制御部３０、メインネットワーク制御部３３および画像処理部３５がデータバス３１に接続されるようにデータバス３１を再初期化する。画像処理部３５は、メイン制御部３０により画像処理が必要であると判定されて、リセット状態を解除された状態でデータバス３１がメイン制御部３０により再初期化されることにより初めて、データバス３１と接続されて電源供給される状態となる。つまり、メイン制御部３０は、データバス３１の初期化後であって画像処理部が必要になった場合には、リセット状態を解除してデータバス３１の再初期化を行う。一方で、メイン制御部３０は、省電力モードに移行するための条件が満たされたと判定した場合には、画像処理部３５のリセット状態を維持したままとする。
【００４１】
データバス３１は、図２におけるＰＣＩバス１５によって実現される。データバス３１は、少なくともメイン制御部３０、画像処理部３５、およびメインネットワーク制御部３３が接続される。データバス３１はまた、省電力モードにおいて停止される。
【００４２】
ネットワーク制御部３２は、メインネットワーク制御部３３と、サブネットワーク制御部３４とから成る。
【００４３】
メインネットワーク制御部３３は、図２におけるネットワークＣＰＵ１６等によって実現される処理部である。メインネットワーク制御部３３は、省電力モードにおいて電力の供給が遮断される。つまりメインネットワーク制御部３３は、省電力モードにおいて停止された状態となる。
【００４４】
サブネットワーク制御部３４は、図２におけるサブネットワークＣＰＵ１７、ＰＨＹ１８等によって実現される処理部である。サブネットワーク制御部３４は、ネットワークと接続され、外部の機器とネットワークを介してデータを送受信する。サブネットワーク制御部３４はまた、省電力モードにおいて電力が供給される。つまり、サブネットワーク制御部３４は、省電力モードにおいても起動した状態となる。サブネットワーク制御部３４は、所定の信号を受信した場合に、サブ制御部３７に省電力モードの解除要因としての起動要因検出信号を送る。
【００４５】
画像処理部３５は、図２におけるＰＤＬ用ＣＰＵ１９等によって実現される処理部である。画像処理部３５は、ネットワーク制御部３２がＬＡＮ等のネットワークを介して受信したデータについて画像処理（主にベクタ形式のデータのラスタライズ処理）を行う。
【００４６】
電源供給スイッチ部３６は、図２における電源制御部２０によって実現される。電源供給スイッチ部３６は、メイン制御部３０およびサブ制御部３７からの信号に基づいて、電力の供給および電力の遮断を制御する。電源供給スイッチ部３６には、省電力モードにおいても電源供給される。
【００４７】
サブ制御部３７は、図２におけるサブＣＰＵ２１等によって実現される処理部である。サブ制御部３７は、省電力モードの解除要因を検出する。サブ制御部３７は、起動要因検出信号を受信した場合に、メイン制御部３０の起動を行う。サブ制御部３７は、メイン制御部３０の起動を行うことにより、省電力モードを解除する。サブ制御部３７には、省電力モードにおいても電源供給される。サブ制御部３７はまた、電源供給スイッチ部３６に信号を送ることにより、電源供給スイッチ部３６に電力の供給および電力の遮断を行わせる。
【００４８】
操作部３８は、図２における操作パネル２４によって実現される処理部である。操作部３８は、ユーザからの操作を受け付けた場合に、サブ制御部３７に省電力モードの解除要因として起動要因検出信号を出力する。
【００４９】
ファクシミリ通信部３９は、図２におけるモデム１４およびＮＣＵ２５によって実現される処理部である。ファクシミリ通信部３９は、ＰＳＴＮ５を介して呼出信号（ＣＩ）を受信した場合に、サブ制御部３７に省電力モードの解除要因として起動要因検出信号を出力する。
【００５０】
次に、以上のように構成された本実施の形態に係る画像処理装置１００による復帰処理の処理手順について説明する。
【００５１】
図４は、本実施の形態に係る画像処理装置１００の復帰処理に係る処理手順を示すフローチャートである。なお、図４では、メインネットワーク制御部を「メインＮＷ制御部」と表記し、サブネットワーク制御部を「サブＮＷ制御部」と表記する。
【００５２】
図４に示すように、サブネットワーク制御部３４は、ＬＡＮ上のＭＡＣフレームおよびＭＡＣフレームの中のＩＰパケットの解析を行い、ＭＡＣフレームおよびＩＰパケットが自装置宛のデータか否かを判定する（Ｓ１１）。
【００５３】
サブネットワーク制御部３４は、自装置宛のＭＡＣフレームの内容がＡＲＰ等の単純なＩＰパケットであるか否かを判定し（Ｓ１２）、単純なＩＰパケットである場合（Ｓ１２：Ｙｅｓ）には、サブネットワーク制御部３４自身が応答し処理を行う（Ｓ１３）。
【００５４】
サブネットワーク制御部３４は、自装置宛のＭＡＣフレームの内容が、サブネットワーク制御部３４自身が対応できないＩＰパケットの場合には、対応できないことをサブ制御部３７に通知する（Ｓ１４）。このとき、ＩＰパケットは、サブネットワーク制御部３４内のＲＡＭ（図示せず）に一時的に格納される。なお、ここに言う「サブネットワーク制御部３４自身が対応できないＩＰパケット」とは、例えば、プリント要求に関するＩＰパケット、機器情報の問い合わせに関するＩＰパケット等である。
【００５５】
サブ制御部３７は、電源供給スイッチ部３６を制御し、画像処理装置１００全体の電源を投入する（Ｓ１５）。
【００５６】
メイン制御部３０は、画像処理部３５をリセット状態に維持したまま、データバス３１上のコンフィグレーション（初期化）を行う（Ｓ１６）。ここでは、メインネットワーク制御部３３に対してコンフィグレーションが行われるため、メイン制御部３０は、データバス３１上のメインネットワーク制御部３３と接続される。これによりメイン制御部３０は、メインネットワーク制御部３３と通信可能な状態となる。
【００５７】
コンフィグレーション終了後、メインネットワーク制御部３３は、サブネットワーク制御部３４に対してパケットを受け取ることが可能である旨を通知する（Ｓ１７）。
【００５８】
サブネットワーク制御部３４は、当該通知を受けてサブネットワーク制御部３４内のＲＡＭに格納されたＩＰパケットをメインネットワーク制御部３３に出力する（Ｓ１８）。
【００５９】
メインネットワーク制御部３３は、サブネットワーク制御部３４により出力されたＩＰパケットの解析を行い、メインネットワーク制御部３３のみで対応できるＩＰパケットであるか否かを判定する（Ｓ１９）。
【００６０】
当該ＩＰパケットがメインネットワーク制御部３３で対応できるＩＰパケットである場合には、メインネットワーク制御部３３が当該ＩＰパケットに対して応答する（Ｓ２０）。
【００６１】
メイン制御部３０は、省電力モードに移行させることをサブ制御部３７に通知する（Ｓ２１）。サブ制御部３７は、電源供給スイッチ部３６を制御することにより、サブネットワーク制御部３４、電源供給スイッチ部３６、およびサブ制御部３７以外の電源を遮断して復帰処理を終了する。
【００６２】
一方で当該ＩＰパケットがメインネットワーク制御部３３で対応できないＩＰパケットである場合には、当該ＩＰパケットがプリント要求等の画像処理部３５の起動がＩＰパケットであるか否かを判定する（Ｓ２２）。
【００６３】
当該ＩＰパケットが画像処理部３５の起動が必要なＩＰパケットである場合には、メイン制御部３０は、画像処理部３５のリセット状態を解除して、データバス３１の再コンフィグレーション（最初期化）を行う（Ｓ２３）。これにより、画像処理部３５はデータバス３１に接続されることになり、メイン制御部３０と画像処理部３５とは通信可能な状態となる。その後、ネットワーク経由で受けたＩＰパケットが画像処理部３５により解析され、復帰処理を終了する。
【００６４】
一方でＩＰパケットが画像処理部３５の起動が必要でないＩＰパケットである場合には、メイン制御部３０がＩＰパケットの処理を行い、復帰処理を終了する（Ｓ２４）。
【００６５】
以上のように本実施形態の画像処理装置１００によれば、サブネットワーク制御部３４がＩＰパケット（所定の信号）を受信した状態では、画像処理か否かはわからないため、画像処理部３５がリセットされた状態で、データバス３１のコンフィグレーションを行う。つまり、画像処理部３５が動作しないようにして、データバス３１のコンフィグレーションを行ってデータバス３１に接続される画像処理部３５以外のネットワーク制御部３２とメイン制御部３０との接続を行う。その後、画像処理部３５による画像処理が必要であることを、メインネットワーク制御部３３がＩＰパケットを解析することにより判定した場合に、メイン制御部３０は画像処理部３５のリセットを解除した状態でデータバス３１の最コンフィグレーションを行う。このように、ネットワーク制御部３２がネットワークを介してＩＰパケットなどのデータを受信しても、画像処理部３５をデータバス３１に接続せずに、画像処理部３５が必要なＩＰパケットである場合のみに画像処理部３５をデータバスに接続する。このため、画像処理部３５が必要のないＩＰパケットを受信しても、画像処理部３５に電力を供給しない状態とすることができる。これにより、省電力効果を高めることができる。
【００６６】
また、本発明は、このような画像処理装置として実現できるだけでなく、画像処理装置が備える特徴的な処理部のそれぞれの動作をステップとして方法として実現することもでき、また、本発明は、各処理部の処理を行う集積回路として実現することもできる。さらに、本発明は、コンピュータに上記各ステップを実行させるためのプログラムとして実現することもできる。そのようなプログラムは、ＣＤ−ＲＯＭ等の記録媒体またはインターネット等の伝送媒体を介して配信することもできる。
【００６７】
以上、本発明に係る画像処理装置について、実施の形態に基づいて説明したが、本発明は、この実施の形態に限定されるものではない。
【００６８】
つまり、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６９】
例えば、上記実施の形態では、ネットワーク制御部３２がネットワークを介してＩＰパケットなどのデータを受信したときに、メイン制御部３０が画像処理部３５をリセット状態に維持したままデータバス３１のコンフィグレーションを行っているが、これに限らない。例えばデータバス３１と画像処理部３５との間にスリーステートバッファ（ｔｈｒｅｅ  ｓｔａｔｅ  ｂｕｆｆｅｒ）を入れることによっても上記リセット状態と同様のことを実現してもよい。具体的には、スリーステートバッファの入力端子をメイン制御部３０側（つまりデータバス３１）と接続し、スリーステートバッファの出力端子を画像処理部３５と接続する。そして、スリーステートバッファの制御信号を０にすることによりスリーステートバッファへの入力にかかわらず、スリーステートバッファの出力をハイ・インピーダンス（ｈｉｇｈ  ｉｍｐｅｄａｎｃｅ）にできる。つまり、画像処理部３５がメイン制御部３０から切り離された状態とすることができ、上記実施の形態におけるリセット状態と同様の効果が得られる。
【産業上の利用可能性】
【００７０】
本発明は、省電力モードから復帰する場合に、より消費電力を低減することができる画像処理装置として利用することができる。
【符号の説明】
【００７１】
１、２  ネットワーク複合機
３、４  情報端末
５  ＰＳＴＮ
６  ＬＡＮ
１０  メインＣＰＵ
１１  ＲＡＭ
１２  ＲＯＭ
１３  システムＬＳＩ
１４  モデム
１５  ＰＣＩバス
１６  ネットワークＣＰＵ
１７  サブネットワークＣＰＵ
１８  ＰＨＹ
１９  ＰＤＬ用ＣＰＵ
２０  電源供給スイッチ部
２１  サブＣＰＵ
２２  スキャナ部
２３  プリンタ部
２４  操作パネル
２５  ＮＣＵ
３０  メイン制御部
３１  データバス
３２  ネットワーク制御部
３３  メインネットワーク制御部
３４  サブネットワーク制御部
３５  画像処理部
３６  電源制御部
３７  サブ制御部
３８  操作部
３９  ファクシミリ通信部
１００  画像処理装置
２００  情報システム
【図１】
2013017054.tif 000003
【図２】
2013017054.tif 000004
【図３】
2013017054.tif 000005
【図４】
2013017054.tif 000006